(57)【要約】【課題】原稿の画像データの読み取り時や送信時に解像度及び濃度についての設定値を調節する操作を行なうことなく、ファクシミリ送信か電子メール送信かによって、自動的にそれぞれの送信方法に応じた解像度及び濃度の設定値を用いて原稿の画像データの送信を行なうことにより、通信費用が高くなることを防止しつつ、送信方法に応じた適切な解像度及び濃度の画像データを送信することができる通信装置を提供する。【解決手段】原稿の画像データをファクシミリ送信するか電子メールの添付ファイルとして送信するかにより、その原稿の読み取りの際又は原稿の画像データの送信の際の解像度及び濃度の一方又は双方の初期設定値について個別に設定可能とする。【選択図】　　　図１
2004056246.tif 000002
【特許請求の範囲】
【請求項１】
原稿の画像データをファクシミリ送信するか電子メールの添付ファイルとして送信するかにより、その原稿の読み取りの際の解像度及び濃度の一方又は双方の初期設定値について個別に設定可能としたことを特徴とする通信装置。
【請求項２】
原稿の画像データをファクシミリ送信するか電子メールの添付ファイルとして送信するかにより、その原稿の画像データの送信の際の解像度及び濃度の一方又は双方の初期設定値について個別に設定可能としたことを特徴とする通信装置。
【請求項３】
原稿の画像データを電子メールの添付ファイルとして送信する場合における解像度及び濃度の一方又は双方の初期設定値を、ファクシミリ送信する場合における解像度及び濃度の一方又は双方の初期設定値よりも高く設定することを特徴とする請求項１又は２記載の通信装置。
【発明の詳細な説明】
【０００１】
【発明の属する技術分野】
本発明は、ファクシミリ通信及び電子メール通信を行なうことが可能な通信装置、具体的には、インターネットに接続する機能を備えたファクシミリ装置等の通信装置に関する。
【０００２】
【従来の技術】
近年、ファクシミリ装置の機能は多様化してきており、ファクシミリ送受信以外にも、インターネットに接続して電子メールの送受信を行なう機能を備えたものも登場してきている。このようなファクシミリ装置においては、使用者は、原稿読取部において読み取った原稿の画像データをファクシミリにより送信するか、電子メールの添付ファイルとして送信するかを選択することが可能である。そして、一般的に、電子メール送信は、ファクシミリ送信よりも通信費用を安く抑えることできるため、解像度や濃度等を高くすることにより通信データ量が多くなっても問題にならない場合が多い。一方、ファクシミリ送信は、特に遠距離の場合には通信費用が高くなるため、通信データ量はできるだけ少なくする必要がある。
【０００３】
【発明が解決しようとする課題】
しかしながら、これまでの電子メール通信機能を備えたファクシミリ装置においては、ファクシミリ送信を行なう場合と電子メール送信を行なう場合とで区別することなく、同じ解像度や濃度等の初期設定値に従って原稿の画像データの読み取りや送信が行なわれていたため、送信する原稿の画像データの解像度や濃度等の初期設定値が低く設定されていた場合には、電子メール送信の際に、通信費用が安いという利点を活かして解像度や濃度等の高い画像データを送信することができず、逆に、送信する原稿の画像データの解像度や濃度等の初期設定値が高く設定されていた場合には、ファクシミリ送信の際に、通信データ量が多くなって通信費用が高くなるという問題が生じていた。また、このような問題が生じることを防止するためには、ファクシミリ装置を使用する使用者が、原稿の画像データの読み取り時や送信時に、それぞれの送信方法に応じて解像度や濃度等についての設定値を調節する操作を行なう必要があった。
【０００４】
本発明は、上記課題に鑑みてなされたものであり、原稿の画像データの読み取り時や送信時に解像度や濃度等についての設定値を調節する操作を行なうことなく、ファクシミリ送信か電子メール送信かによって、自動的にそれぞれの送信方法に応じた解像度や濃度等の設定値を用いて原稿の画像データの送信を行なうことにより、通信費用が高くなることを防止しつつ、送信方法に応じた適切な解像度や濃度等の画像データを送信することができる通信装置を提供することを技術課題とするものである。
【０００５】
【課題を解決するための手段】
上記技術課題を解決するための具体的手段は、次のようなものである。すなわち、請求項１に記載する通信装置は、原稿の画像データをファクシミリ送信するか電子メールの添付ファイルとして送信するかにより、その原稿の読み取りの際の解像度及び濃度の一方又は双方の初期設定値について個別に設定可能としたことを特徴とするものである。
【０００６】
請求項２に記載する通信装置は、原稿の画像データをファクシミリ送信するか電子メールの添付ファイルとして送信するかにより、その原稿の画像データの送信の際の解像度及び濃度の一方又は双方の初期設定値について個別に設定可能としたことを特徴とするものである。
【０００７】
請求項３に記載する通信装置は、請求項１又は２に記載する構成において、原稿の画像データを電子メールの添付ファイルとして送信する場合における解像度及び濃度の一方又は双方の初期設定値を、ファクシミリ送信する場合における解像度及び濃度の一方又は双方の初期設定値よりも高く設定することを特徴とするものである。
【０００８】
【発明の実施の形態】
本発明の実施形態に係る通信装置１を、インターネットに接続して電子メールの送受信を行なう機能を備えたファクシミリ装置に適用した場合の実施の形態について図面に基づいて説明する。すなわち、本実施形態においては、通信装置１が原稿の画像データを送信するするための通信手段としては、ファクシミリ通信と電子メール通信との２通りの手段がある。図１は、本発明の実施形態に係る通信装置１の電気的構成を示すブロック図である。以下、この図１に基づいて、本実施形態に係る通信装置１の具体的構成について説明する。
【０００９】
ファックスモデム２は、通信装置１がファクシミリ送受信を行なう際に、送受信される原稿の画像データの変調及び復調を行なう装置である。データモデム３は、通信装置１がダイヤルアップ接続によりインターネットに接続して電子メール送受信を行なう際に、電子メールに添付して送受信される原稿の画像データの変調及び復調を行なう装置である。網制御装置（ＮＣＵ）４は、通信装置１を公衆電話交換網（ＰＳＴＮ）５に接続するための接続制御を行なう装置であり、通信装置１がファックスモデム２を用いてファクシミリ送受信を行なう際や、データモデム３を用いてダイヤルアップ接続によりインターネットに接続する際に動作するものである。なお、本実施形態においては、このデータモデム３と網制御装置（ＮＣＵ）４を用いてダイヤルアップ接続によりインターネットに接続する場合について説明するが、通信装置１がインターネットに接続するための手段はこれに限定されるものではなく、通信装置１を図示しないＬＡＮに接続するためのＬＡＮ接続部を備え、ＬＡＮを介してインターネットに接続する構成とすることも可能である。
【００１０】
原稿読取部６は、ファクシミリ送信や電子メール送信のために、送信する原稿の画像を走査して画像データとして読み取るための部分であって、図示しないが、ＣＣＤ（Ｃｈａｒｇｅ　Ｃｏｕｐｌｅｄ　Ｄｅｖｉｃｅ）等のイメージセンサや光源等の光学系、フラットベッドスキャナ（ＦＢＳ：ＦｌａｔＢｅｄ　Ｓｃａｎｎｅｒ）や原稿自動供給装置（ＡＤＦ：Ａｕｔｏｍａｔｉｃ　Ｄｏｃｕｍｅｎｔ　Ｆｅｅｄｅｒ）等の原稿供給機構等を有して構成されている。この原稿読取部６の構成としては、コピー機、ファクシミリ装置、あるいはスキャナ等の分野において公知の各種機構を用いることが可能である。
【００１１】
記録部７は、ファクシミリ受信した原稿の画像データや、電子メール受信した原稿の画像データの内容を用紙に記録出力するための部分である。この記録部７における記録方式としては、例えば、電子写真方式、感熱記録方式、あるいはインクジェット記録方式等のこの分野で公知の各種の記録方式を用いることができる。そして、この記録部７の具体的構成としては、前記のような各記録方式を実現するためのコピー機やファクシミリ装置等の分野において公知の各種構成を用いることができる。
【００１２】
画像メモリ８は、ファクシミリ送信又は電子メール送信のために原稿読取部６において読み取った原稿の画像データ、或いは、ファクシミリ受信又は電子メール受信した原稿の画像データを一時的に格納するためのメモリである。この画像メモリ８においては、原稿の画像データは、コーデック９により符号化された状態で格納される。コーデック９は、ファクシミリ送受信のために画像データの符号化及び復号を行なう回路である。また、ここでは、電子メール受信した原稿の画像データを画像メモリ８に格納する際にもコーデック９による符号化が行なわれる。ここで用いられる符号化の方式としては、ファクシミリ送受信のために一般的に用いられている符号化の方式が好適であり、具体的には、ＭＭＲ（モディファイド・モディファイド・リード）方式、ＭＲ（モディファイド・リード）方式、あるいはＭＨ（モディファイド・ハフマン）方式等が該当する。
【００１３】
操作部１０は、使用者が通信装置１に対する動作指示や設定等の入力を行なうための部分であって、図示しないが、ファクシミリ送信や電子メール送信等の処理の開始命令等の指示を入力するためのスタートキー、送信先のダイヤル番号や電子メールアドレス等を入力するためのテンキー、通信装置１の設定操作を行なうためのファンクションキー等の各種操作キーを有して構成されている。表示部１１は、通信装置１の動作状態や設定状態等を表示するための部分であって、図示しないが、液晶表示画面やＬＥＤランプ等の表示装置を有して構成されている。
【００１４】
ＭＰＵ（Ｍｉｃｒｏｐｒｏｃｅｓｓｉｎｇ　Ｕｎｉｔ）１２は、バス１３を介して通信装置１を構成する各部と接続されており、これらの各部の動作制御を行なう演算処理回路である。ＲＡＭ（Ｒａｎｄｏｍ　Ａｃｃｅｓｓ　Ｍｅｍｏｒｙ）１４は、ＭＰＵ１２による通信装置１の動作処理の実行に伴って取得された各種データや設定情報等を格納するメモリである。このＲＡＭ１４に格納される情報としては、ここでは、ファクシミリ用初期設定値１５と、電子メール用初期設定値１６とが含まれる。
【００１５】
ここで、ファクシミリ用初期設定値１５とは、ファクシミリ送信の際に用いられる原稿の画像データの解像度と濃度についての初期設定値であり、ファクシミリ送信の指示入力の際に、これと異なる解像度及び濃度の指定がされない限り、このファクシミリ用初期設定値１５に定められた解像度及び濃度の画像データが通信装置１からファクシミリ送信されることとなる。このファクシミリ用初期設定値１５は、通信装置１の使用者が操作部１０を操作して予め入力し、設定しておくものとする。また、電子メール用初期設定値１６とは、電子メール送信の際に用いられる原稿の画像データの解像度と濃度についての初期設定値であり、電子メール送信の指示入力の際に、これと異なる解像度及び濃度の指定がされない限り、この電子メール用初期設定値１６に定められた解像度及び濃度の画像データが通信装置１から電子メールに添付されて送信されることとなる。この電子メール用初期設定値１６は、通信装置１の使用者が操作部１０を操作して予め入力し、設定しておくものとする。
【００１６】
なお、本実施形態においては、ファクシミリ用初期設定値１５及び電子メール用初期設定値１６において、解像度及び濃度の双方について設定することとしているが、解像度及び濃度のいずれか一方のみについてファクシミリ用初期設定値１５及び電子メール用初期設定値１６において設定することも可能である。
【００１７】
また、一般的に、原稿の画像データを添付ファイルとして送信する電子メール送信は、ファクシミリ送信よりも通信費用を安く抑えることでき、送信データ量を多くすることが可能であるため、送信する原稿の画像データの解像度や濃度を高くして高品質の画像データを送信することができる。一方、ファクシミリ送信は、特に遠距離の場合には通信費用が高くなり、送信データ量はできるだけ少なく抑える必要があるため、送信する原稿の画像データの解像度や濃度をあまり高くすることはできない。したがって、電子メール用初期設定値１６における解像度及び濃度を、ファクシミリ用初期設定値１５における解像度及び濃度よりも高く設定すると好適である。ただし、電子メール送信に用いるメールサーバの容量の制限が厳しい場合には、ファクシミリ用初期設定値１５における解像度及び濃度を、電子メール用初期設定値１６における解像度及び濃度よりも高く設定する方が良い場合もある。
【００１８】
また、ＲＯＭ１７は、ＭＰＵ１２の動作処理に必要な各種の動作プログラム等を格納するメモリである。このＲＯＭ１７に格納される動作プログラムとしては、ここでは、送信プログラム１８が含まれる。ここで、送信プログラム１８とは、使用者により操作部１０が操作され、原稿の画像データを送信する送信指示の入力がされた場合に、原稿の画像データを読み取り、ファクシミリ又は電子メールにより相手先に送信する処理をＭＰＵ１２に実行させるためのプログラムである。この送信プログラムに基づいて動作する通信装置１の動作処理については、以下にフローチャートを用いて詳細に説明する。
【００１９】
次に、本発明の実施形態に係る通信装置１において、ファクシミリ又は電子メールにより原稿の画像データを送信する際の動作処理について、フローチャートに基づいて説明する。まず、ここでは、本発明の第１の実施形態として、原稿読取部６において原稿を読み取る際の読取解像度及び読取濃度をファクシミリ用初期設定値１５及び電子メール用初期設定値１６に基づいて決定し、その読取解像度及び読取濃度により読み取られた原稿の画像データを送信する場合について、図２及び図３に示すフローチャートに基づいて説明する。なお、これらの図において、丸で囲まれた「Ａ」の記号は、それぞれの図における同じ記号と連続するものとする。また、このフローチャートに示す通信装置１の各部の動作は、ＲＯＭ１７に格納されている送信プログラム１８に従って動作するＭＰＵ１２の制御の下に行なわれる。
【００２０】
まず、原稿の画像データをファクシミリ送信、又は電子メールの添付ファイルとして送信する指示の入力があったか否かについて判断する（Ｓ１）。この判断は、操作部１０のテンキー等の操作により送信する相手先のダイヤル番号又は電子メールアドレスが入力され、原稿読取部６に原稿がセットされた状態で操作部１０のスタートキー等の操作により送信の開始の指示が入力されたか否かにより行なう。このような送信の指示の入力がない場合は（Ｓ１：ＮＯ）、そのまま待機する。
【００２１】
そして、原稿の画像データをファクシミリ送信、又は電子メールの添付ファイルとして送信する指示の入力があった場合には（Ｓ１：ＹＥＳ）、次に、原稿の画像データの送信に用いる解像度の指定がされたか否かについて判断する（Ｓ２）。この判断は、処理Ｓ１の送信の指示入力がされた際に、操作部１０の操作により解像度を指定するための入力が行なわれたか否かにより行なう。そして、原稿の画像データの送信に用いる解像度の指定がされた場合には（Ｓ２：ＹＥＳ）、当該指定された解像度に従って原稿の画像データの読取解像度を決定する（Ｓ３）。ここで、読取解像度とは、原稿読取部６において原稿の画像を読み取る際の解像度のことである。
【００２２】
一方、原稿の画像データの送信に用いる解像度の指定がされていない場合には（Ｓ２：ＮＯ）、次に、原稿の画像データの送信方法が、ファクシミリ送信か、電子メール送信か、或いはファクシミリ送信と電子メール送信の双方かについて判断する（Ｓ４）。この判断は、処理Ｓ１において送信する相手先としてダイヤル番号が入力されたか、電子メールアドレスが入力されたかにより行なう。したがって、相手先としてダイヤル番号が入力された場合には、送信方法はファクシミリ送信であり、相手先として電子メールアドレスが入力された場合には、送信方法は電子メール送信であると判断する。また、送信する相手先が複数であって、ダイヤル番号と電子メールアドレスの双方が入力された場合には、原稿の画像データの送信方法はファクシミリ送信と電子メール送信の双方であると判断する。
【００２３】
そして、原稿の画像データの送信方法が、ファクシミリ送信である場合には（Ｓ４：ＦＡＸ）、ＲＡＭ１４のファクシミリ用初期設定値１５を参照し、そのファクシミリ用初期設定値１５で設定された解像度に従って読取解像度を決定する（Ｓ５）。また、原稿の画像データの送信方法が、電子メール送信である場合には（Ｓ４：メール）、ＲＡＭ１４の電子メール用初期設定値１６を参照し、その電子メール用初期設定値１６で設定された解像度に従って読取解像度を決定する（Ｓ６）。また、原稿の画像データの送信方法が、ファクシミリ送信と電子メール送信の双方である場合には（Ｓ４：ＦＡＸ＋メール）、ＲＡＭ１４のファクシミリ用初期設定値１５及び電子メール用初期設定値１６を参照し、それらで設定された解像度のいずれか低い方に従って読取解像度を決定する（Ｓ７）。これは、ファクシミリ送信において通信費用が高くなることや、電子メール送信においてメールサーバの容量を超えることを防止するためである。ただし、このように原稿の画像データの送信方法がファクシミリ送信と電子メール送信の双方である場合の読取解像度の決定の方法は、これに限定されるものではなく、例えば、ファクシミリ用初期設定値１５及び電子メール用初期設定値１６で設定された解像度のいずれか高い方に従って決定することも可能であるし、ファクシミリ用初期設定値１５及び電子メール用初期設定値１６で設定された解像度の平均値に従って決定することも可能であるし、ファクシミリ用初期設定値１５及び電子メール用初期設定値１６とは全く別の専用の初期設定値に従って決定することも可能である。
【００２４】
その後、原稿の画像データの送信に用いる濃度の指定がされたか否かについて判断する（Ｓ８）。この判断は、処理Ｓ１の送信の指示入力がされた際に、操作部１０の操作により濃度を指定するための入力が行なわれたか否かにより行なう。そして、原稿の画像データの送信に用いる濃度の指定がされた場合には（Ｓ８：ＹＥＳ）、当該指定された濃度に従って原稿の画像データの読取濃度を決定する（Ｓ９）。ここで、読取濃度とは、原稿読取部６において原稿の画像を読み取る際の濃度のことである。一方、原稿の画像データの送信に用いる濃度の指定がされていない場合には（Ｓ８：ＮＯ）、次に、原稿の画像データの送信方法が、ファクシミリ送信か、電子メール送信か、或いはファクシミリ送信と電子メール送信の双方かについて判断する（Ｓ１０）。この判断は、処理Ｓ４と全く同様に行なう。
【００２５】
そして、原稿の画像データの送信方法が、ファクシミリ送信である場合には（Ｓ１０：ＦＡＸ）、ＲＡＭ１４のファクシミリ用初期設定値１５を参照し、そのファクシミリ用初期設定値１５で設定された濃度に従って読取濃度を決定する（Ｓ１１）。また、原稿の画像データの送信方法が、電子メール送信である場合には（Ｓ１０：メール）、ＲＡＭ１４の電子メール用初期設定値１６を参照し、その電子メール用初期設定値１６で設定された濃度に従って読取濃度を決定する（Ｓ１２）。また、原稿の画像データの送信方法が、ファクシミリ送信と電子メール送信の双方である場合には（Ｓ１０：ＦＡＸ＋メール）、ＲＡＭ１４のファクシミリ用初期設定値１５及び電子メール用初期設定値１６を参照し、それらで設定された濃度のいずれか低い方に従って読取濃度を決定する（Ｓ１３）。これは、上述した読取解像度の決定方法と同様の理由による。したがって、このように原稿の画像データの送信方法がファクシミリ送信と電子メール送信の双方である場合の読取濃度の決定の方法は、これに限定されるものではなく、例えば、ファクシミリ用初期設定値１５及び電子メール用初期設定値１６で設定された濃度のいずれか高い方に従って決定することも可能であるし、ファクシミリ用初期設定値１５及び電子メール用初期設定値１６で設定された濃度の平均値に従って決定することも可能であるし、ファクシミリ用初期設定値１５及び電子メール用初期設定値１６とは全く別の専用の初期設定値に従って決定することも可能である。
【００２６】
そして、以上のようにして決定された読取解像度及び読取濃度に従って、原稿読取部６において原稿の画像の読み取りを行ない、読み取った原稿の画像データを画像メモリ８に格納する（Ｓ１４）。その後、画像メモリ８から送信する原稿の画像データを読み出し、処理Ｓ１において指定された相手先に対して、指定された送信方法により送信する（Ｓ１５）。これにより処理は終了する。
【００２７】
次に、本発明の第２の実施形態として、原稿読取部６において原稿を読み取る際の送信解像度及び送信濃度を通信装置１における最高の解像度及び濃度とし、原稿の画像データを送信する際の送信解像度及び送信濃度をファクシミリ用初期設定値１５及び電子メール用初期設定値１６に基づいて決定し、その送信解像度及び送信濃度に従って変換した原稿の画像データを送信する場合について、図４及び図５に示すフローチャートに基づいて説明する。なお、これらの図において、丸で囲まれた「Ｂ」の記号は、それぞれの図における同じ記号と連続するものとする。また、このフローチャートに示す通信装置１の各部の動作は、ＲＯＭ１７に格納されている送信プログラム１８に従って動作するＭＰＵ１２の制御の下に行なわれる。
【００２８】
まず、原稿の画像データをファクシミリ送信、又は電子メールの添付ファイルとして送信する指示の入力があったか否かについて判断する（Ｓ２１）。この判断は、操作部１０のテンキー等の操作により送信する相手先のダイヤル番号又は電子メールアドレスが入力され、原稿読取部６に原稿がセットされた状態で操作部１０のスタートキー等の操作により送信の開始の指示が入力されたか否かにより行なう。このような送信の指示の入力がない場合は（Ｓ２１：ＮＯ）、そのまま待機する。
【００２９】
そして、原稿の画像データをファクシミリ送信、又は電子メールの添付ファイルとして送信する指示の入力があった場合には（Ｓ２１：ＹＥＳ）、次に、原稿読取部６において、通信装置１における最高の解像度及び濃度により原稿の画像の読み取りを行ない、読み取った原稿の画像データを画像メモリ８に格納する（Ｓ２２）。その後、原稿の画像データの送信に用いる解像度の指定がされたか否かについて判断する（Ｓ２３）。この判断は、処理Ｓ２１の送信の指示入力がされた際に、操作部１０の操作により解像度を指定するための入力が行なわれたか否かにより行なう。そして、原稿の画像データの送信に用いる解像度の指定がされた場合には（Ｓ２３：ＹＥＳ）、当該指定された解像度に従って原稿の画像データの送信解像度を決定する（Ｓ２４）。ここで、送信解像度とは、原稿の画像データをファクシミリ送信し、又は電子メールの添付ファイルとして送信する際の解像度のことである。
【００３０】
一方、原稿の画像データの送信に用いる解像度の指定がされていない場合には（Ｓ２３：ＮＯ）、次に、原稿の画像データの送信方法が、ファクシミリ送信か、電子メール送信か、或いはファクシミリ送信と電子メール送信の双方かについて判断する（Ｓ２５）。この判断は、処理Ｓ２１において送信する相手先としてダイヤル番号が入力されたか、電子メールアドレスが入力されたかにより行なう。したがって、相手先としてダイヤル番号が入力された場合には、送信方法はファクシミリ送信であり、相手先として電子メールアドレスが入力された場合には、送信方法は電子メール送信であると判断する。また、送信する相手先が複数であって、ダイヤル番号と電子メールアドレスの双方が入力された場合には、原稿の画像データの送信方法はファクシミリ送信と電子メール送信の双方であると判断する。
【００３１】
そして、原稿の画像データの送信方法が、ファクシミリ送信である場合には（Ｓ２５：ＦＡＸ）、ＲＡＭ１４のファクシミリ用初期設定値１５を参照し、そのファクシミリ用初期設定値１５で設定された解像度に従って送信解像度を決定する（Ｓ２６）。また、原稿の画像データの送信方法が、電子メール送信である場合には（Ｓ２５：メール）、ＲＡＭ１４の電子メール用初期設定値１６を参照し、その電子メール用初期設定値１６で設定された解像度に従って送信解像度を決定する（Ｓ２７）。また、原稿の画像データの送信方法が、ファクシミリ送信と電子メール送信の双方である場合には（Ｓ２５：ＦＡＸ＋メール）、ＲＡＭ１４のファクシミリ用初期設定値１５及び電子メール用初期設定値１６を参照し、ファクシミリ送信に用いる送信解像度をファクシミリ用初期設定値１５で設定された解像度に従って決定し、電子メール送信に用いる送信解像度を電子メール用初期設定値１６で設定された解像度に従って決定する（Ｓ２８）。本実施形態においては、原稿の画像データの送信時に決定された送信解像度に従って画像データの解像度を変換することとしているので、上述の第１の実施形態とは異なり、ファクシミリ送信に用いる解像度と電子メール送信に用いる解像度とをそれぞれ別個の値として決定することが可能である。
【００３２】
その後、原稿の画像データの送信に用いる濃度の指定がされたか否かについて判断する（Ｓ２９）。この判断は、処理Ｓ２１の送信の指示入力がされた際に、操作部１０の操作により濃度を指定するための入力が行なわれたか否かにより行なう。そして、原稿の画像データの送信に用いる濃度の指定がされた場合には（Ｓ２９：ＹＥＳ）、当該指定された濃度に従って原稿の画像データの送信濃度を決定する（Ｓ３０）。ここで、送信濃度とは、原稿の画像データをファクシミリ送信し、又は電子メールの添付ファイルとして送信する際の濃度のことである。一方、原稿の画像データの送信に用いる濃度の指定がされていない場合には（Ｓ２９：ＮＯ）、次に、原稿の画像データの送信方法が、ファクシミリ送信か、電子メール送信か、或いはファクシミリ送信と電子メール送信の双方かについて判断する（Ｓ３１）。この判断は、処理Ｓ２５と全く同様に行なう。
【００３３】
そして、原稿の画像データの送信方法が、ファクシミリ送信である場合には（Ｓ３１：ＦＡＸ）、ＲＡＭ１４のファクシミリ用初期設定値１５を参照し、そのファクシミリ用初期設定値１５で設定された濃度に従って送信濃度を決定する（Ｓ３２）。また、原稿の画像データの送信方法が、電子メール送信である場合には（Ｓ３１：メール）、ＲＡＭ１４の電子メール用初期設定値１６を参照し、その電子メール用初期設定値１６で設定された濃度に従って送信濃度を決定する（Ｓ３３）。また、原稿の画像データの送信方法が、ファクシミリ送信と電子メール送信の双方である場合には（Ｓ３１：ＦＡＸ＋メール）、ＲＡＭ１４のファクシミリ用初期設定値１５及び電子メール用初期設定値１６を参照し、ファクシミリ送信に用いる送信濃度をファクシミリ用初期設定値１５で設定された濃度に従って決定し、電子メール送信に用いる送信濃度を電子メール用初期設定値１６で設定された濃度に従って決定する（Ｓ３４）。これは、上述した送信解像度の決定方法と同様の理由による。
【００３４】
そして、以上のようにして決定された送信解像度及び送信濃度に従って、処理Ｓ２２において通信装置１における最高の解像度及び濃度により読み取られて画像メモリ８に格納された原稿の画像データの解像度及び濃度を変換する処理を行なう（Ｓ３５）。その後、変換処理を行なった原稿の画像データを処理Ｓ２１において指定された相手先に対して、指定された送信方法により送信する（Ｓ３６）。これにより処理は終了する。
【００３５】
【発明の効果】
以上説明したように、本発明の請求項１に係る通信装置によれば、原稿の画像データをファクシミリ送信するか電子メールの添付ファイルとして送信するかにより、その原稿の読み取りの際の解像度及び濃度の一方又は双方の初期設定値について個別に設定可能としたことにより、原稿の画像データの送信に用いる解像度及び濃度についての設定値を調節する操作を行なうことなく、ファクシミリ送信か電子メール送信かによって、自動的にそれぞれの送信方法に応じた解像度及び濃度の設定値を用いて原稿の画像データの読み取りを行ない、その画像データの送信を行うことができるので、通信費用が高くなることを防止しつつ、送信方法に応じた適切な解像度及び濃度の画像データを送信することができる。
【００３６】
本発明の請求項２に係る通信装置によれば、原稿の画像データをファクシミリ送信するか電子メールの添付ファイルとして送信するかにより、その原稿の画像データの送信の際の解像度及び濃度の一方又は双方の初期設定値について個別に設定可能としたことにより、原稿の画像データの送信に用いる解像度及び濃度についての設定値を調節する操作を行なうことなく、ファクシミリ送信か電子メール送信かによって、自動的にそれぞれの送信方法に応じた解像度及び濃度の設定値を用いて原稿の画像データの解像度及び濃度の変換処理を行ない、その画像データの送信を行うことができるので、通信費用が高くなることを防止しつつ、送信方法に応じた適切な解像度及び濃度の画像データを送信することができる。
【００３７】
本発明の請求項３に係る通信装置によれば、上述の効果に加えて、原稿の画像データを電子メールの添付ファイルとして送信する場合における解像度及び濃度の一方又は双方の初期設定値を、ファクシミリ送信する場合における解像度及び濃度の一方又は双方の初期設定値よりも高く設定することにより、電子メール送信の場合には原稿の画像データの解像度や濃度を高くして高品質の画像データを送信することができ、ファクシミリ送信の場合には送信データ量を少なくして通信費用が高くなることを防止することができる。
【図面の簡単な説明】
【図１】本発明の実施形態に係る通信装置の電気的構成を示すブロック図である。
【図２】本発明の第１の実施形態であって、原稿を読み取る際の読取解像度及び読取濃度をファクシミリ用初期設定値及び電子メール用初期設定値に基づいて決定し、その読取解像度及び読取濃度により読み取られた原稿の画像データを送信する処理を示すフローチャートの前半部分である。
【図３】本発明の第１の実施形態であって、原稿を読み取る際の読取解像度及び読取濃度をファクシミリ用初期設定値及び電子メール用初期設定値に基づいて決定し、その読取解像度及び読取濃度により読み取られた原稿の画像データを送信する処理を示すフローチャートの後半部分である。
【図４】本発明の第２の実施形態であって、原稿を読み取る際の送信解像度及び送信濃度を通信装置における最高の解像度及び濃度とし、原稿の画像データを送信する際の送信解像度及び送信濃度をファクシミリ用初期設定値及び電子メール用初期設定値に基づいて決定し、その送信解像度及び送信濃度に従って変換した原稿の画像データを送信する処理を示すフローチャートの前半部分である。
【図５】本発明の第２の実施形態であって、原稿を読み取る際の送信解像度及び送信濃度を通信装置における最高の解像度及び濃度とし、原稿の画像データを送信する際の送信解像度及び送信濃度をファクシミリ用初期設定値及び電子メール用初期設定値に基づいて決定し、その送信解像度及び送信濃度に従って変換した原稿の画像データを送信する処理を示すフローチャートの後半部分である。
【符号の説明】
１　通信装置
２　ファックスモデム
３　データモデム
４　網制御装置（ＮＣＵ）
６　原稿読取部
８　画像メモリ
１０　操作部
１２　ＭＰＵ
１４　ＲＡＭ
１５　ファクシミリ用初期設定値
１６　電子メール用初期設定値
１７　ＲＯＭ
１８　送信プログラム
【図１】
2004056246.tif 000003
【図２】
2004056246.tif 000004
【図３】
2004056246.tif 000005
【図４】
2004056246.tif 000006
【図５】
2004056246.tif 000007